(57)【要約】【課題】工期を短くすることができるとともに、品質を保つことが容易である管理型護岸を提供する。【解決手段】不透水性で硬質な地盤１７に設けられたトレンチ７と、トレンチ７の底の表面を覆っており上面が平面状になっている均し材９と、均し材９の上に設置された構造物１１と、構造物１１の少なくとも一方の側でトレンチ７内に設けられた遮水材１３とを有する。【選択図】図１
2018188882.tif 000002
【特許請求の範囲】
【請求項１】
不透水性で硬質な在来地盤（１７）もしくは人為的に造られた不透水性改良基盤に設けられたトレンチ（７）と、
前記トレンチの底の表面を覆っており、上面が平面状になっている均し材（９）と、
前記均し材の上に設置された構造物（１１）と、
前記構造物の少なくとも一方の側で前記トレンチ内に設けられた遮水材（１３）と、
を有することを特徴とする管理型護岸（１）。
【請求項２】
不透水性で硬質な在来地盤もしくは人為的に造られた不透水性改良基盤にトレンチを形成するトレンチ形成工程と、
前記トレンチ形成工程で形成されたトレンチの底の表面を覆うとともに上面が平面状になるように、均し材を設置する均し材設置工程と、
前記均し材設置工程で設置された均し材が硬化した後、前記均し材の上に構造物を設置する構造物設置工程と、
前記構造物設置工程で構造物を設置した後、前記構造物の少なくとも一方の側で前記トレンチ内に遮水材を設ける遮水材設置工程と、
を有することを特徴とする管理型護岸の設置方法。
【請求項３】
不透水性で硬質な在来地盤もしくは人為的に造られた不透水性改良基盤の表面の所定の領域を覆っており、上面が平面状になっている均し材と、
前記均し材の上に設置された構造物と、
前記構造物の少なくとも一方の側で前記構造物から所定の距離だけ離れ、前記均し材の上に設置されたブロック（２１）と、
前記構造物と前記ブロックとの間に形成されている溝状部位（２３）内に設けられた遮水材と、
を有することを特徴とする管理型護岸（１ａ）。
【請求項４】
不透水性で硬質な在来地盤もしくは人為的に造られた不透水性改良基盤の表面の所定の領域を覆うとともに上面が平面状になるように均し材を設置する均し材設置工程と、
前記均し材設置工程で設置された均し材が硬化した後、前記均し材の上に構造物を設置する構造物設置工程と、
前記構造物の少なくとも一方の側で前記構造物から所定の距離だけ離れて、前記均し材の上にブロックを設置するブロック設置工程と、
前記構造物設置工程で構造物が設置され、前記ブロック設置工程でブロックが設置された後に、前記構造物と前記ブロックとの間に形成されている溝状部位内に遮水材を設ける遮水材設置工程と、
を有することを特徴とする管理型護岸の設置方法。
【請求項５】
請求項１または請求項３に記載の管理型護岸において、
前記均し材は、水中コンクリート、土質系遮水材、敷均された捨石とのこの捨石の間の空隙に充填された水中コンクリート、敷均された捨石とのこの捨石の間の空隙に充填されたアスファルト混合物、敷均された捨石とのこの捨石の間の空隙に充填された土質系遮水材、もしくは、所要強度が発現しておりルジオン値が「１」以下であり透水係数が「１×１０−５ｃｍ／ｓ」以下である材料で構成されていることを特徴とする管理型護岸。
【請求項６】
請求項１または請求項３または請求項５に記載の管理型護岸において、
前記遮水材は、アスファルト系の材料、コンクリート系の材料、ケミカル系の材料、もしくは、土質系の材料で構成されていることを特徴とする管理型護岸。
【請求項７】
請求項１または請求項３または請求項５または請求項６に記載の管理型護岸において、
前記遮水材の上に設けられた保護材（１５）を有することを特徴とする管理型護岸。
【請求項８】
請求項２または請求項４に記載の管理型護岸の設置方法において、
前記均し材設置工程は、均し材として水中コンクリートを設置するか、均し材として土質系遮水材を設置するか、均し材として捨石を敷均しこの敷均された捨石の間の空隙に水中コンクリートを充填するか、均し材として捨石を敷均しこの敷均された捨石の間の空隙にアスファルト混合物を充填するか、均し材として捨石を敷均しこの敷均された捨石の間の空隙に土質系遮水材を充填するか、もしくは、所要強度が発現しておりルジオン値が「１」以下であり透水係数が「１×１０−５ｃｍ／ｓ」以下である材料を設置する工程であることを特徴とする管理型護岸の設置方法。
【請求項９】
請求項２または請求項４または請求項８に記載の管理型護岸の設置方法において、
前記遮水材設置工程は、遮水材としてアスファルト系の材料を設けるか、遮水材としてコンクリート系の材料を設けるか、遮水材としてケミカル系の材料を設けるか、もしくは、遮水材として土質系の材料を設ける工程であることを特徴とする管理型護岸の設置方法。
【請求項１０】
請求項２または請求項４または請求項８または請求項９に記載の管理型護岸の設置方法において、
前記遮水材設置工程で遮水材を設置した後、前記遮水材の上に保護材を設ける保護材設置工程有することを特徴とする管理型護岸の設置方法。
【発明の詳細な説明】
【技術分野】
【０００１】
本発明は、管理型護岸および管理型護岸の設置方法に係り、特に、捨石を用いることなく形成されるものに関する。
【背景技術】
【０００２】
従来、地盤の上に捨石を配置し、この捨石の上にケーソン等の重力式構造物を配置した護岸が知られている（たとえば、特許文献１参照）。
【先行技術文献】
【特許文献】
【０００３】
【特許文献１】特開２００５−２０７１３２号公報
【発明の概要】
【発明が解決しようとする課題】
【０００４】
ところで、従来の護岸では、前段工程として地盤の上に捨石を１ｍ〜１．５ｍの厚さで敷均し、上記重力式構造物を支持する捨石マウンドを築造しているので、護岸の設置に要する前段工期が長くなる。また、上記重力式構造物を安定的に支持するといった安定性能上の品質が捨石マウンドに依存するので、一定の品質を確保することが困難な場合もあるという問題がある。
【０００５】
また、前述捨石マウンドは、略４０％〜５０％内外の空隙を有するので、捨石マウンド地体が透水層となってしまうといった、管理型廃棄物埋立護岸にとっては致命的となる問題がある。
【０００６】
本発明は、上記問題点に鑑みてなされたものであり、工期を短くすることができるとともに、上記安定性能上の品質を保つことが容易であるとともに、透水層となってしまう捨石マウンドの不透水化をはかりうる管理型護岸および管理型護岸の設置方法を提供することを目的とする。
【課題を解決するための手段】
【０００７】
請求項１に記載の発明は、不透水性で硬質な在来地盤もしくは人為的に造られた不透水性改良基盤に設けられたトレンチと、前記トレンチの底の表面を覆っており、上面が平面状になっている均し材と、前記均し材の上に設置された構造物と、前記構造物の少なくとも一方の側で前記トレンチ内に設けられた遮水材とを有する管理型護岸である。
【０００８】
請求項２に記載の発明は、不透水性で硬質な在来地盤もしくは人為的に造られた不透水性改良基盤にトレンチを形成するトレンチ形成工程と、前記トレンチ形成工程で形成されたトレンチの底の表面を覆うとともに上面が平面状になるように、均し材を設置する均し材設置工程と、前記均し材設置工程で設置された均し材が硬化した後、前記均し材の上に構造物を設置する構造物設置工程と、前記構造物設置工程で構造物を設置した後、前記構造物の少なくとも一方の側で前記トレンチ内に遮水材を設ける遮水材設置工程とを有する管理型護岸の設置方法である。
【０００９】
請求項３に記載の発明は、不透水性で硬質な在来地盤もしくは人為的に造られた不透水性改良基盤の表面の所定の領域を覆っており、上面が平面状になっている均し材と、前記均し材の上に設置された構造物と、前記構造物の少なくとも一方の側で前記構造物から所定の距離だけ離れ、前記均し材の上に設置されたブロックと、前記構造物と前記ブロックとの間に形成されている溝状部位内に設けられた遮水材とを有する管理型護岸である。
【００１０】
請求項４に記載の発明は、不透水性で硬質な在来地盤もしくは人為的に造られた不透水性改良基盤の表面の所定の領域を覆うとともに上面が平面状になるように均し材を設置する均し材設置工程と、前記均し材設置工程で設置された均し材が硬化した後、前記均し材の上に構造物を設置する構造物設置工程と、前記構造物の少なくとも一方の側で前記構造物から所定の距離だけ離れて、前記均し材の上にブロックを設置するブロック設置工程と、前記構造物設置工程で構造物が設置され、前記ブロック設置工程でブロックが設置された後に、前記構造物と前記ブロックとの間に形成されている溝状部位内に遮水材を設ける遮水材設置工程とを有する管理型護岸の設置方法である。
【００１１】
請求項５に記載の発明は、請求項１または請求項３に記載の管理型護岸において、前記均し材は、水中コンクリート、土質系遮水材、敷均された捨石とのこの捨石の間の空隙に充填された水中コンクリート、敷均された捨石とのこの捨石の間の空隙に充填されたアスファルト混合物、敷均された捨石とのこの捨石の間の空隙に充填された土質系遮水材、もしくは、所要強度が発現しておりルジオン値が「１」以下であり透水係数が「１×１０−５ｃｍ／ｓ」以下である材料で構成されている管理型護岸である。
【００１２】
請求項６に記載の発明は、請求項１または請求項３または請求項５に記載の管理型護岸において、前記遮水材は、アスファルト系の材料、コンクリート系の材料、ケミカル系の材料、もしくは、土質系の材料で構成されている管理型護岸である。
【００１３】
請求項７に記載の発明は、請求項１または請求項３または請求項５または請求項６に記載の管理型護岸において、前記遮水材の上に設けられた保護材を有する管理型護岸である。
【００１４】
請求項８に記載の発明は、請求項２または請求項４に記載の管理型護岸の設置方法において、前記均し材設置工程は、均し材として水中コンクリートを設置するか、均し材として土質系遮水材を設置するか、均し材として捨石を敷均しこの敷均された捨石の間の空隙に水中コンクリートを充填するか、均し材として捨石を敷均しこの敷均された捨石の間の空隙にアスファルト混合物を充填するか、均し材として捨石を敷均しこの敷均された捨石の間の空隙に土質系遮水材を充填するか、もしくは、所要強度が発現しておりルジオン値が「１」以下であり透水係数が「１×１０−５ｃｍ／ｓ」以下である材料を設置する工程である管理型護岸の設置方法である。
【００１５】
請求項９に記載の発明は、請求項２または請求項４または請求項８に記載の管理型護岸の設置方法において、前記遮水材設置工程は、遮水材としてアスファルト系の材料を設けるか、遮水材としてコンクリート系の材料を設けるか、遮水材としてケミカル系の材料を設けるか、もしくは、遮水材として土質系の材料を設ける工程である管理型護岸の設置方法である。
【００１６】
請求項１０に記載の発明は、請求項２または請求項４または請求項８または請求項９に記載の管理型護岸の設置方法において、前記遮水材設置工程で遮水材を設置した後、前記遮水材の上に保護材を設ける保護材設置工程有する管理型護岸の設置方法である。
【発明の効果】
【００１７】
本発明によれば、工期を短くすることができるとともに、上記品質を保つことが容易でかつ安価である管理型護岸および管理型護岸の設置方法を提供することができるという効果を奏する。
【図面の簡単な説明】
【００１８】
【図１】本発明の第１の実施形態に係る管理型護岸の概略構成を示す断面図である。
【図２】本発明の第１の実施形態の変形例に係る管理型護岸の概略構成を示す断面図である。
【図３】本発明の第２の実施形態に係る管理型護岸の概略構成を示す断面図である。
【発明を実施するための形態】
【００１９】
［第１の実施形態］
本発明の第１の実施形態に係る管理型護岸１では、図１で示すように、たとえば、廃棄物を埋め立て投棄する海域を、外海３と区画するように遮水して仕切っており、仕切られた区画５が廃棄物埋立地として用いられる。
【００２０】
また、管理型護岸１は、トレンチ（溝）７と均し材（たとえば、水中コンクリート）９と構造物（重力式構造物；たとえば、ケーソンもしくはセル等）１１と遮水材（たとえば、アスファルト混合物；さらに具体的にはアスファルトマスチック）１３と保護材（たとえばアスファルトマット）１５とを備えて構成されている。
【００２１】
トレンチ７は、不透水性で硬質な地盤（たとえば、在来地盤）１７に設けられている。不透水性で硬質な地盤１７として、岩盤（岩石で構成されている地盤）や、Ｃ．Ｄ．Ｍ．工法等の工法による地盤改良によって必要な硬度と不透水性とを備えている改良地盤（人為的に造られた不透水性改良基盤）を掲げることができる。さらに説明すると、地盤１７として、ルジオン値が「１」以下の不透水性岩盤や、Ｃ．Ｄ．Ｍ．工法等を用いて透水係数を「１×１０−５ｃｍ／ｓ」以下とした改良地盤を掲げることができる。
【００２２】
ここで、図１を参照しつつ、地盤１７が岩盤で構成されている場合を例に掲げてさらに詳しく説明する。
【００２３】
トレンチ７は、たとえば、所定の深さおよび所定の幅で長く延びている。すなわち、トレンチ７の断面（長手方向に対して直交している平面による断面）は、矩形状になっている。ただし、トレンチ７の底の表面（上面）は不陸（平になっておらず凹凸が存在している面）になっている。
【００２４】
また、トレンチ７を平面視すると、所定の幅で帯状に長く延びている。この帯状のトレンチ７は、直線状になっているか、もしくは、適宜曲がっているか、もしくは、一部が直線状で他の部位が曲線状になっていて、たとえば、海岸線の所定の位置から概ね海岸線に沿って海岸線の他の所定の位置まで長く延びている。
【００２５】
水中コンクリート９は、トレンチ７の底の表面不陸を均すために、トレンチ７の底の表面を覆っており、硬化して上面が平面状になっている。ケーソン１１は、均し材９の上に設置されている。アスファルトマスチック１３は、ケーソン１１の一方の側、もしくは両方の側（少なくとも一方の側）でトレンチ７内に設けられている。
【００２６】
ここで、ケーソン１１を例に掲げてさらに詳しく説明するが、ケーソン以外のセル等もケーソンとほぼ同様に形成されている。ケーソン１１の外形は、たとえば、細長い直方体状になっている。ケーソン１１の幅は、トレンチ７の幅よりも狭くなっている。
【００２７】
そして、ケーソン１１の幅方向とトレンチ７の幅方向とがお互いに一致し、ケーソン１１の長手方向とトレンチ７の長手方向とがお互いに一致し、トレンチ７の深さ方向とケーソン１１の高さ方向とがお互いに一致するようにして、ケーソン１１が水中コンクリート９上に設置されている。
【００２８】
次に、ケーソン１１の幅方向の両側のトレンチ７内にアスファルトマスチック１３が設けられている態様について詳しく説明する。ケーソン１１は、幅方向でトレンチ７の中央部（たとえば真ん中）に設置されている。ケーソン１１の高さ寸法の値はトレンチ７の深さ寸法の値よりも大きくなっており、ケーソン１１は、この高さ方向で地盤（トレンチ７が設けられていない部位）１７の表面１７Ａよりも上方に突出している。
【００２９】
ケーソン１１は、捨石等によるマウンドを介することなく、水中コンクリート９に直接接触して水中コンクリート９上に載置されている。また、ケーソン１１は、複数設けられており、これらは長手方向につながってトレンチ７に沿ってならんでいる。
【００３０】
また、水中コンクリート９上にケーソン１１が設置されてはいるがアスファルトマスチック１３が設けられていない状態では、ケーソン１１の幅方向の両側にトレンチ７の一部で構成された溝７Ａ、７Ｂが形成されている。溝７Ａ、７Ｂの断面（長手方向に対して直交している平面による断面）は、矩形状になっており、図１の左右の溝７Ａ、７Ｂそれぞれの幅（図１の横方向の寸法）は、お互いが一致している。
【００３１】
アスファルトマスチック１３は、各溝７Ａ、７Ｂのそれぞれを埋めるようにして、溝７Ａ、７Ｂ内に設けられている。アスファルトマスチック１３の平面状の上面１３Ａの高さ位置は、たとえば、地盤（トレンチが設けられていない部位）１７の表面１７Ａの高さ位置と一致しているが、若干低くなっていてもよいし、若干高くなっていてもよい。
【００３２】
アスファルトマット１５は、アスファルトマスチック１３の上に設けられている。アスファルトマット１５は、所定の厚さと所定の幅とを備えた細長い板状に形成されており、厚さ方向が高さ方向になり、幅方向がトレンチ７の幅方向と一致するようにして、アスファルトマスチック１３を外力等から保護するために、アスファルトマスチック１３を覆っている。
【００３３】
アスファルトマット１５の下面は、アスファルトマスチック１３の上面１３Ａと接触している。アスファルトマット１５の幅方向の一端部は、たとえば、折れ曲がって、ケーソン１１の側壁に接してケーソン１１に固定されており、アスファルトマット１５の幅方向の他端部は、アスファルトマスチック１３に対してオーバーハングし地盤１７の上面１７Ａに被さって地盤１７に固定されている。なお、アスファルトマット１５の上記折れ曲がった部位を削除してもよい。
【００３４】
ケーソン１１等の構造物、水中コンクリート９等の均し材、アスファルトマット１５等の保護材も、不透水性を備えている。
【００３５】
なお、均し材９が、水中コンクリートではなく、硬化した土質系遮水材、敷均された捨石とのこの捨石の間の空隙に充填された水中コンクリート、敷均された捨石とのこの捨石の間の空隙に充填されたアスファルトマスチック等のアスファルト混合物、敷均された捨石とのこの捨石の間の空隙に充填された土質系遮水材、もしくは、所要強度（均し材として要求される強度）が発現しておりルジオン値が「１」以下であり透水係数が「１×１０−５ｃｍ／ｓ」以下である材料で構成されていてもよい。
【００３６】
また、遮水材１３が、アスファルト系の材料（たとえば、アスファルトマスチック）、コンクリート系の材料（たとえば、コンクリート）、ケミカル系の材料、もしくは、土質系の材料で構成されていてもよい。
【００３７】
均し材９として、敷均された捨石とのこの捨石の間の空隙に充填された水中コンクリートや、敷均された捨石とのこの捨石の間の空隙に充填されたアスファルトマスチックや、敷均された捨石とのこの捨石の間の空隙に充填された土質系遮水材を採用することで、水中コンクリートやアスファルトマスチックや土質系遮水材の使用量を減らすことができ、管理型護岸１が安価になる。
【００３８】
次に、管理型護岸１の設置方法について説明する。
【００３９】
まず、岩盤１７にトレンチ７を形成する（トレンチ形成工程）。
【００４０】
続いて、トレンチ７の底の表面不陸を均すために、トレンチ形成工程で形成されたトレンチ７の底の表面を覆うとともに上面が平面状になるように、水中コンクリート９を設置する（均し材設置工程）。
【００４１】
この均し材設置工程で、均し材として水中コンクリートを設置する代わりに、均し材として土質系遮水材を設置するか、均し材として捨石を敷均しこの敷均された捨石の間の空隙に水中コンクリートを充填するか、均し材として捨石を敷均しこの敷均された捨石の間の空隙にアスファルトマスチックを充填するか、均し材として捨石を敷均しこの敷均された捨石の間の空隙に土質系遮水材を充填するか、もしくは、所要強度（均し材として要求される強度）が発現しておりルジオン値が「１」以下であり透水係数が「１×１０−５ｃｍ／ｓ」以下である材料を設置してもよい。
【００４２】
続いて、均し材設置工程で設置された水中コンクリート９が硬化した後、水中コンクリート９の上にケーソン１１を設置する（構造物設置工程）。
【００４３】
続いて、構造物設置工程でケーソン１１を設置した後、ケーソン１１の両側でトレンチ７内にアスファルトマスチック１３を設ける（遮水材設置工程）。
【００４４】
この遮水材設置工程で、遮水材としてアスファルト系の材料を設ける代わりに、遮水材としてコンクリート系の材料を設けるか、遮水材としてケミカル系の材料を設けるか、もしくは、遮水材として土質系の材料を設けてもよい。
【００４５】
続いて、遮水材設置工程でアスファルトマスチック１３を設置した後、アスファルトマスチック１３の上にアスファルトマット１５を設ける（保護材設置工程）。
【００４６】
管理型護岸１が設置されると、図１で示すように、海側はＨ．Ｗ．Ｌ．とＬ．Ｗ．Ｌ．の間で潮位が時間とともに変動する。しかし、陸側では管理水位を設定し、水位を固定して管理する。
【００４７】
管理型護岸１によれば、ケーソン１１が捨石等の部材を介することなく水中コンクリート９に直接接触して水中コンクリート９上に載置されているので、管理型護岸１の設置の工期を短くすることができるとともに、捨石への依存を無くし、管理型護岸１の上記重力式構造物を安定的に支持するといった品質を良好に保つことが容易になる。
【００４８】
また、管理型護岸１によれば、捨石が存在せず、アスファルトマチック１３、水中コンクリート９（不透水性材）が採用されているので、ケーソン１１等で遮断された海側の領域３と陸側の区画５との間での海水の透過をより容易にしかも確実に防止することができる。
【００４９】
また、管理型護岸１によれば、法面を設けることで裾が広くなっている捨石の代わりに断面矩形状のトレンチ７を設けているので、幅方向の寸法を小さくすることができる。
【００５０】
さらに説明すると、管理型護岸１の設置の際に捨石マウンドを設ける主な目的として、次に示すものを掲げることができる。
【００５１】
目的Ａ；基礎地盤の不陸を補正して構造物の安定的な設置を図る。目的Ｂ；構造物の荷重を分散して均等に地盤に伝える。目的Ｃ；構造物に作用する波力をマウンド内部と基礎地盤との間の摩擦力で吸収する。目的Ｄ；波や潮流による構造物底面における地盤の洗掘を防止する。
【００５２】
目的Ａは、水中コンクリート９によってトレンチ７の底面が均されている管理型護岸１によって十分にもしくは捨石マウンドを設ける場合以上に達成することができる。
【００５３】
目的Ｂは、水中コンクリート９によってトレンチ７の底面が均されており、しかも、ケーソン１１の下面が平面状に形成されており、水中コンクリート９の上面とケーソン１１の下面とがお互いに面接触している管理型護岸１によって、捨石マウンドを設ける場合以上に達成することができる。
【００５４】
目的Ｃは、水中コンクリート９の上面とケーソン１１の下面とがお互いに面接触していることで摩擦係数の増大がはかられているとともに、ケーソン１１の幅方向両側の溝７Ａ、７Ｂがアスファルトマスチック１３で満たされている管理型護岸１によって、捨石マウンドを設ける場合以上に達成することができる。
【００５５】
目的Ｄは、アスファルトマット１５が設けられている管理型護岸１によって、十分に達成することができる。
【００５６】
なお、上記説明では、ケーソン１１がこの幅方向でトレンチ７の真ん中に設置されている場合を例として掲げているが、ケーソン１１が、この幅方向でいずれか一方の側に偏って設けられていてもよいし、ケーソン１１が、この幅方向でさらに偏って設けられていることで、アスファルトマスチック１３とアスファルトマット１５とが、ケーソン１１の幅方向の一方の側にのみ設けられていてもよい。
【００５７】
さらに説明すると、図１に示す態様からケーソン１１を、ケーソン１１の陸側の側面の下部がトレンチ７の陸側の側面に当接するまで陸側（右側）に移動し、アスファルトマスチック１３やアスファルトマット１５を海側にのみ設けた態様であってもよい。
【００５８】
逆に、図１に示す態様からケーソン１１を、ケーソン１１の海側の側面の下部がトレンチ７の海側の側面に当接するまで海側（左側）に移動し、アスファルトマスチック１３やアスファルトマット１５を陸側にのみ設けた態様であってもよい。
【００５９】
また、図１に破線Ｌ１で示すように、トレンチ７の溝７Ａ、７Ｂの側面（ケーソン１１とは反対側の側面）を斜めに傾斜させて法面としてもよい。これにより、アスファルトマスチック１３の溝７Ａ、７Ｂ内への設置がしやすくなるとともに、溝７Ａ、７Ｂの側面がアスファルトマスチック１３等から受ける面圧を低減することができる。さらに、ケーソン１１の下部（アスファルトマスチック１３と接する部位）を、同様に法面にしてもよい。
【００６０】
また、地盤１７が透水性で軟弱なものである場合には、トレンチ形成工程に先立って、地盤改良工程で所定の領域にわたって地盤改良を行い、地盤の強度と不透水性を確保する必要がある。
【００６１】
図２を参照して、地盤改良（たとえば、Ｃ．Ｄ．Ｍ．工法による地盤改良）された箇所に管理型護岸１を設ける場合について詳しく説明する。
【００６２】
管理型護岸１の設置工事開始前には、曲線Ｌ２、Ｌ３、Ｌ４を境にして、曲線Ｌ２、Ｌ３、Ｌ４の上側が軟弱な地盤１７Ｂになっており、曲線Ｌ２、Ｌ３、Ｌ４の下側が岩盤１７Ｃになっている。
【００６３】
この状態で、管理型護岸１の設置に必要な所定の領域１９を地盤改良する。この所定の領域１９は、線Ｌ５、Ｌ３、Ｌ７内の領域である。
【００６４】
図２で示す態様では、領域１９で地盤改良をした後、図１に示した場合と同様にして管理型護岸１が設置される。
【００６５】
［第２の実施形態］
本発明の第２の実施形態に係る管理型護岸１ａは、トレンチ７を設ける代わりにブロック（たとえば、埋設型枠ブロック）２１を設けている点が、本発明の第１の実施形態に係る管理型護岸１と異なり、その他の点は、管理型護岸１とほぼ同様に構成されており、ほぼ同様の効果を奏しほぼ同様に変形可能である。
【００６６】
すなわち、本発明の第２の実施形態に係る管理型護岸１ａは、図３で示すように、水中コンクリート９とケーソン１１と埋設型枠ブロック２１とアスファルトマスチック１３とアスファルトマット１５とを備えて構成されている。
【００６７】
水中コンクリート９は、岩盤１７、もしくはＣ．Ｄ．Ｍ．改良地盤の表面不陸を均すために、岩盤１７、もしくはＣ．Ｄ．Ｍ．改良地盤の表面１７Ａの所定の領域を覆っており、硬化して上面が平面状になっている。
【００６８】
水中コンクリート９が設けられている領域を平面視すると、トレンチ７の場合と同様に所定の幅の細長い帯状になっている。ケーソン１１は、水中コンクリート９上に設置されている。
【００６９】
埋設型枠ブロック２１は、ケーソン１１の一方の側もしくは両方の側でケーソン１１から所定の距離だけ離れ、水中コンクリート９の上に設置されている。
【００７０】
アスファルトマスチック１３は、ケーソン１１と埋設型枠ブロック２１との間に形成されている溝状部位２３内に設けられている。アスファルトマット１５は、アスファルトマスチック１３上に設けられている。
【００７１】
ここで、第１の実施形態の場合と同様に、ケーソン１１を例に掲げて説明する。ケーソン１１の外形は、上述したように、たとえば、細長い直方体状になっている。ケーソン１１の幅は、水中コンクリート９が設けられている領域の幅よりも狭くなっている。
【００７２】
そして、ケーソン１１の幅方向と水中コンクリート９が設けられている領域の幅方向とがお互いに一致し、ケーソン１１の長手方向と水中コンクリート９が設けられている領域の長手方向とがお互いに一致するようにして、ケーソン１１が、水中コンクリート９が設けられている領域上に設置されている。
【００７３】
また、埋設型枠ブロック２１の外形も、たとえば、細長い直方体状になっている。埋設型枠ブロック２１の幅は、ケーソン１１の幅より狭くなっており、埋設型枠ブロック２１の高さも、ケーソン１１の高さより低くなっている。
【００７４】
そして、埋設型枠ブロック２１の幅方向と水中コンクリート９が設けられている領域の幅方向とがお互いに一致し、埋設型枠ブロック２１の長手方向と水中コンクリート９が設けられている領域の長手方向とがお互いに一致するようにして、埋設型枠ブロック２１が、水中コンクリート９が設けられている領域の上に設置されている。
【００７５】
次に、ケーソン１１の幅方向の両側に埋設型枠ブロック２１とアスファルトマスチック１３とが設けられている態様について詳しく説明する。ケーソン１１は、幅方向で水中コンクリート９が設けられている領域の中央部（たとえば真ん中）に設置されている。
【００７６】
ケーソン１１の幅方向の一方の側（たとえば陸側）の埋設型枠ブロック２１は、ケーソン１１の幅方向の一方の側でケーソン１１から所定の距離だけ離れて設けられている。これにより、ケーソン１１の幅方向の一方の側には、溝状部位２３（２３Ａ）が形成されている。溝状部位２３Ａの幅は、ケーソン１１と埋設型枠ブロック２１との間の距離と等しくなっており、溝状部位２３Ａの深さの値は、埋設型枠ブロック２１の高さ寸法の値と等しくなっている。
【００７７】
また、ケーソン１１の幅方向の一方の側の埋設型枠ブロック２１は、水中コンクリート９が設けられている領域の幅方向で、水中コンクリート９が設けられている領域の一方の端部に設置されている。
【００７８】
さらに説明すると、一方の側の埋設型枠ブロック２１の端（ケーソンとは反対側の端；図３では右側の埋設型枠ブロック２１の右端）は、水中コンクリート９が設けられている領域の一方の側の端（図３では右端）よりも、ケーソン１１側（図３では左側）に位置している。すなわち、一方の側の埋設型枠ブロック２１の全体が、この幅方向で、水中コンクリート９が設けられている領域内に収まっている。
【００７９】
なお、一方の側の埋設型枠ブロック２１の一部が、この幅方向で、水中コンクリート９が設けられている領域からはみ出していてもよいし、一方の側の埋設型枠ブロック２１の端（ケーソン１１とは反対側の端）の位置が、水中コンクリート９が設けられている領域の一方の側の端の位置と一致していてもよい。
【００８０】
ケーソン１１と埋設型枠ブロック２１とは、捨石等の部材を介することなく、水中コンクリート９に直接接触して水中コンクリート９の上に載置されている。また、ケーソン１１と埋設型枠ブロック２１とは、複数設けられており、これらは長手方向につながって水中コンクリート９が設けられている領域に沿ってならんでいる。
【００８１】
また、アスファルトマスチック１３は、溝状部位２３（２３Ａ）を埋めるようにして、溝状部位２３Ａ内に設けられている。アスファルトマスチック１３の平面状の上面１３Ａの高さ位置は、たとえば、埋設型枠ブロック２１の上面の高さ位置よりも低くなっているが、埋設型枠ブロック２１の上面の高さ位置と一致していてもよいし、若干高くなっていてもよい。
【００８２】
アスファルトマット１５は、所定の厚さと所定の幅とを備えた細長い板状に形成されており、厚さ方向が高さ方向になり、幅方向が水中コンクリート９が設けられている領域の幅方向と一致するようにして、アスファルトマスチック１３を外力等から保護するために、アスファルトマスチック１３を覆っている。
【００８３】
アスファルトマット１５の下面は、アスファルトマスチック１３の上面１３Ａと接触している。アスファルトマスチック１３の幅方向の一端部は、たとえば、折れ曲がって、ケーソン１１の側壁に接してケーソン１１に固定されており、アスファルトマスチック１３の幅方向の他端部も、たとえば、折れ曲がって、埋設型枠ブロック２１の側壁に接し埋設型枠ブロック２１に固定されている。なお、アスファルトマット１５の上記折れ曲がった部位を削除してもよい。
【００８４】
ケーソン１１の幅方向の他方の側（海側）にも、ケーソン１１の幅方向の一方の側と同様にして、埋設型枠ブロック２１とアスファルトマスチック（溝状部位２３Ｂ内のアスファルトマスチック）１３とアスファルトマット１５とが設けられている。
【００８５】
なお、上記説明では、ケーソン１１がこの幅方向で水中コンクリート９が設けられている領域の真ん中に設置されている場合を例として掲げているが、第１の実施形態の場合と同様にして、ケーソン１１が、この幅方向でいずれか一方の側に偏って設けられていてもよい。
【００８６】
さらに、ケーソン１１の幅方向のいずれか一方の側の埋設型枠ブロック２１とアスファルトマスチック１３とアスファルトマット１５（ケーソン１１が偏っている設置されている側の埋設型枠ブロック２１とアスファルトマスチック１３とアスファルトマット１５）を削除してもよい。
【００８７】
また、地盤１７が透水性で軟弱なものである場合には、第１の実施形態で示した場合と同様にして、地盤改良工程で所定の領域にわたって地盤改良がされているものとする。
【００８８】
次に、管理型護岸１ａの設置方法について説明する。
【００８９】
まず、岩盤１７の表面不陸を均すために、不透水性で硬質な岩盤１７の表面の所定の領域を水中コンクリート９でこの上面が平面状になるように覆う（均し材設置工程）。
【００９０】
続いて、均し材設置工程で設置された水中コンクリート９が硬化した後、水中コンクリート９上にケーソン１１を設置する（構造物設置工程）。
【００９１】
続いて、ケーソン１１の少なくとも一方の側でケーソン１１から所定の距離だけ離れて、水中コンクリート９の上に埋設型枠ブロック２１を設置する（ブロック設置工程）。
【００９２】
なお、構造物設置工程とブロック設置工程とはいずれが先であってもよいし、同時期に行ってもよい。
【００９３】
続いて、構造物設置工程でケーソン１１が設置され、ブロック設置工程で埋設型枠ブロック２１が設置された後に、ケーソン１１と埋設型枠ブロック２１との間に形成されている溝状部位２３内にアスファルトマスチック１３を設ける（遮水材設置工程）。
【００９４】
続いて、遮水材設置工程でアスファルトマスチック１３を設置した後、アスファルトマスチック１３の上にアスファルトマット１５を設ける（保護材設置工程）。
【００９５】
管理型護岸１ａによれば、トレンチを設ける必要が無いので、工期を一層短縮することができる。
【符号の説明】
【００９６】
１、１ａ  管理型護岸
７  トレンチ
９  均し材（水中コンクリート）
１１  構造物（ケーソンもしくはセル）
１３  遮水材（アスファルトマスチック）
１５  保護材（アスファルトマット）
１７  地盤（岩盤）
２１  ブロック（埋設型枠ブロック）
２３  溝状部位
【図１】
2018188882.tif 000003
【図２】
2018188882.tif 000004
【図３】
2018188882.tif 000005